(57)【要約】【課題】  学習型リモコン１００が地震などの災害時に家電を操作してユーザが家庭で情報を得たりすることができるが、学習型リモコン１００に各ユーザが設定を行う負荷が大きかった。【解決手段】  制御サーバ２００が学習型リモコン１００を制御するための情報と、学習型リモコン１００が操作する家電の動作のシナリオとを予め保持しておき、災害時には制御サーバ２００が学習型リモコン１００に、家電を操作する指示を送信するという構成をとることにより、ユーザが設定を行う負荷を軽減した。【選択図】      図１
2014204211.tif 000002
【特許請求の範囲】
【請求項１】
電子機器を遠隔操作する遠隔操作装置と、
前記遠隔操作装置を制御するための制御情報と前記電子機器の動作のシナリオとを保持し、前記制御情報と前記シナリオとに基づいて前記電子機器を遠隔操作させる制御信号を前記遠隔操作装置に送信する制御サーバと、
からなる電子機器制御システム。
【請求項２】
前記制御サーバは、
前記制御情報を前記遠隔操作装置からネットワークを介して受信することを特徴とする、
請求項１記載の家電制御システム。
【請求項３】
前記シナリオは、
所定のトリガ情報に対する前記電子機器の動作を含み、
前記制御サーバは、
前記トリガ情報を外部から受信したことに応じて前記遠隔操作装置を制御する、
請求項１または２に記載の電子機器制御システム。
【請求項４】
前記トリガ情報は、災害に関する緊急情報であることを特徴とする、
請求項１から３の１に記載の電子機器制御システム。
【請求項５】
前記遠隔操作装置は、
前記制御情報を前記制御サーバに対してネットワークを介して送信することを特徴とする、
請求項１から４の１に記載の電子機器制御システム。
【請求項６】
前記遠隔操作装置は、
前記遠隔操作装置周辺の環境を検知する検知機能を更に備え、
前記制御信号と前記検知機能による検知結果とに基づいて前記電子機器を遠隔操作する、
請求項１から５の１に記載の電子機器制御システム。
【請求項７】
電子機器を遠隔操作する遠隔操作装置と、
前記電子機器を遠隔操作する制御信号を遠隔操作装置に送信する制御サーバと、からなる電子機器制御システムを構成する制御サーバであって、
前記遠隔操作装置を制御するための制御情報と前記電子機器の動作のシナリオとを保持し、前記制御情報と前記シナリオとに基づいて前記電子機器を遠隔操作する前記制御信号を遠隔操作装置に送信する、
制御サーバ。
【請求項８】
電子機器を遠隔操作する遠隔操作装置と、
前記遠隔操作装置を制御するための制御情報と前記電子機器の動作のシナリオとを保持し、前記制御情報と前記シナリオとに基づいて前記電子機器を遠隔操作する制御信号を前記遠隔操作装置に送信する制御サーバと、からなる電子機器制御システムを構成する遠隔操作装置であって、
前記制御サーバから前記制御信号を受信する、
遠隔操作装置。
【請求項９】
制御サーバが、
遠隔操作装置を制御するための制御情報と前記遠隔操作装置が操作する電子機器の動作のシナリオとを保持し、
前記制御情報と前記シナリオとに基づいて前記電子機器を遠隔操作する制御信号を前記遠隔操作装置に送信し、
前記遠隔操作装置が、
前記制御信号を受信し、
前記制御信号に基づいて前記電子機器を操作する、
電子機器制御方法。
【請求項１０】
遠隔操作装置を制御するための制御情報を前記遠隔操作装置から受信し、
前記遠隔操作装置が操作する前記電子機器の動作のシナリオを保持し、
前記制御情報と前記シナリオとに基づいて前記遠隔操作装置に前記電子機器を遠隔操作する制御信号を送信する、
制御サーバの方法。
【発明の詳細な説明】
【技術分野】
【０００１】
本発明は、電子機器を制御するシステム、装置、方法に関し、具体的には非常時に家電を制御するシステム、装置、方法に関する。
【背景技術】
【０００２】
一台のリモートコントローラ(以下リモコンと言う)で各種家電を操作できる、学習型リモコン（あるいはマルチリモコン、以下学習型リモコンと言う）が普及している。
【０００３】
地震等の非常時に、リモコンで家電を操作する技術が特許文献１に開示されている。
【０００４】
特許文献１の技術によれば、リモコンが内部の加速度センサにより検出される加速度に基づいて地震が発生したことを判定すると、予め設定しておいたキーコードを順次送信出力し、例えばテレビジョン受像機(以下テレビと言う)を電源オン状態にし、次いで地震情報の視聴のために登録しておいたチャンネルの映像と音声が再生される。
【０００５】
また、緊急地震速報を宅内受信装置で受信すると家電機器を制御する技術が特許文献２に開示されている。
【０００６】
特許文献２の技術によれば、緊急地震速報を宅内受信装置で受信した時に家電等の機器を制御することができる。
【先行技術文献】
【特許文献】
【０００７】
【特許文献１】特開２０１３−０１６９４８号公報
【特許文献２】特開２００６−１６５９６５号公報
【発明の概要】
【発明が解決しようとする課題】
【０００８】
しかし特許文献１記載のリモコンは加速度センサを備えることから、リモコンが高機能となり、高価になってしまう。また、各家庭で地震を検知した際の動作を設定しておく必要があるため、ユーザへの負担が大きい。
【０００９】
また特許文献２記載の技術では、制御される側の家電がホームネットワークに接続されていることが前提となっており、適用される機器が限定される。また特許文献２に記載されている機器の制御は「家庭内家電機器を地震災害から防止すること」（００４０段落）を目的としており、ユーザが家庭で情報を得たり安全を確保したりすることを助けるための技術とはなっていない。
【００１０】
このような課題を踏まえ、本発明は、地震等の非常時に、リモコンにより家電を制御することでユーザが家庭で情報を得ることを助け、またその設定に際してユーザの負担が少なくなる技術を提供することを目的とする。
【課題を解決するための手段】
【００１１】
本発明の第１の電子機器制御システムは、電子機器を遠隔操作する遠隔操作装置と、前記遠隔操作装置を制御するための制御情報と前記電子機器の動作のシナリオとを保持し、前記制御情報と前記シナリオとに基づいて前記電子機器を遠隔操作させる制御信号を前記遠隔操作装置に送信する制御サーバとからなる。
【００１２】
本発明の第１の制御サーバは、電子機器を遠隔操作する遠隔操作装置と、前記電子機器を遠隔操作する制御信号を遠隔操作装置に送信する制御サーバと、からなる電子機器制御システムを構成する制御サーバであって、前記遠隔操作装置を制御するための制御情報と前記電子機器の動作のシナリオとを保持し、前記制御情報と前記シナリオとに基づいて前記電子機器を遠隔操作する前記制御信号を遠隔操作装置に送信する。
【００１３】
本発明の第１の遠隔操作装置は、電子機器を遠隔操作する遠隔操作装置と、前記遠隔操作装置を制御するための制御情報と前記電子機器の動作のシナリオとを保持し、前記制御情報と前記シナリオとに基づいて前記電子機器を遠隔操作する制御信号を前記遠隔操作装置に送信する制御サーバと、からなる電子機器制御システムを構成する遠隔操作装置であって、前記制御サーバから前記制御信号を受信する。
【００１４】
本発明の第１の電子機器制御方法は、制御サーバが、遠隔操作装置を制御するための制御情報と前記遠隔操作装置が操作する電子機器の動作のシナリオとを保持し、前記制御情報と前記シナリオとに基づいて前記電子機器を遠隔操作する制御信号を前記遠隔操作装置に送信し、前記遠隔操作装置が、前記制御信号を受信し、前記制御信号に基づいて前記電子機器を操作する。
【００１５】
本発明の第１の制御サーバの方法は、遠隔操作装置を制御するための制御情報を前記遠隔操作装置から受信し、前記遠隔操作装置が操作する前記電子機器の動作のシナリオを保持し、前記制御情報と前記シナリオとに基づいて前記遠隔操作装置に前記電子機器を遠隔操作する制御信号を送信する。
【発明の効果】
【００１６】
本発明によれば、地震等の非常時に、リモコンにより家電を制御することで、ユーザが家庭で情報を得ることを助け、またその設定に際してユーザの負担を少なくすることができる。
【図面の簡単な説明】
【００１７】
【図１】本発明の特徴部分を表す全体図である。
【図２】第１の実施の形態の学習型リモコン１００の機能ブロックを図示したブロック図である。
【図３】第１の実施の形態のリモコン信号テーブル１２１を図示したテーブルである。
【図４】第１の実施の形態の制御サーバ２００の機能ブロックを図示したブロック図である。
【図５ａ】第１の実施の形態のリモコンテーブル２２１を図示したテーブルである。
【図５ｂ】第１の実施の形態のシナリオ２２２を図示したテーブルである。
【図５ｃ】第１の実施の形態の地域情報を図示したテーブルである。
【図６】第１の実施の形態の情報サーバ４００の機能ブロックを図示したブロック図である。
【図７】第１の実施の形態の動作を説明するシステムフロー図である。
【図８】第２の実施の形態の学習型リモコン１００´の機能ブロックを図示したブロック図である。
【図９】第２の実施の形態のシナリオ２２２´を図示したテーブルである。
【図１０】第２の実施の形態の動作を説明するシステムフロー図である。
【発明を実施するための形態】
【００１８】
［第１の実施の形態］
本発明の実施の形態を説明する。図１は、本発明の特徴部分を表す全体図であり、学習型リモコン１００が、家電１０１を制御し、制御サーバ２００とネットワーク３００を介して通信を行う。制御サーバ２００は地震等の非常時に、各家庭の家電をどのように動作させるかのシナリオ保持し、情報サーバ４００から地域ごとの地震の状況などの地域情報を受信する。
【００１９】
以下、本発明の第一の実施の形態について、より具体的に説明する。この説明は一例であって、記載された機能や機器に限定されないことに留意されたい。また、各機器の周知の機能については適宜説明を省略する。
【００２０】
１００は学習型リモコン、１０１は家電であり、学習型リモコン１００は家電１０１を操作するための信号を学習してあるものとする。家電１０１は複数でもよい。
【００２１】
学習型リモコン１００は、ネットワーク３００に接続する機能を持つものとする。ネットワーク３００は、例えば３Ｇ（３ｒｄ Ｇｅｎｅｒａｔｉｏｎ）携帯電話網やＬＴＥ（Ｌｏｎｇ Ｔｅｒｍ Ｅｖｏｌｕｔｉｏｎ）であってもよいし、Ｗｉ−Ｆｉ（Ｗｉｒｅｌｅｓｓ  Ｆｉｄｅｌｉｔｙ）等の無線ＬＡＮ(Ｌｏｃａｌ  Ａｒｅａ  Ｎｅｔｗｏｒｋ)であってもよく、またそれらを相互に接続するＴＣＰ／ＩＰ（Ｔｒａｎｓｍｉｓｓｉｏｎ Ｃｏｎｔｒｉｌ Ｐｒｏｔｏｃｏｌ／Ｉｎｔｅｒｎｅｔ  Ｐｒｏｔｏｃｏｌ）によるネットワークなど、適宜データ通信を行うための周知の技術を適用することができる。
【００２２】
本発明の実施の形態では学習型リモコンとして専用機器を用いているが、同等の機能を実行できるものであれば高機能携帯電話端末（スマートホン）やコンピュータ装置であっても構わない。
【００２３】
家電１０１は、例えばテレビであり、このテレビの家電ＩＤが“０１”で、リモコン端末から電源オン（チャンネル１）の操作をされる時の信号が“１１”であるとする。学習型リモコン１００と家電１０１との通信は、赤外線による通信が広く用いられているが、赤外線でなくてもかまわない。
【００２４】
また別の家電１０１は、例えば照明であり、この照明の家電ＩＤが“０２”で、リモコン端末から電源オンの操作をされる時の信号が“１０”であるとする。
【００２５】
図２は学習型リモコン１００の特徴的な機能を示すブロック図である。制御部１１０は学習型リモコン１００の動作に関わる様々な判断・制御を行う。記憶部１２０は、学習型リモコン１００が動作を行うために必要な情報やデータを記憶している。ネットワーク通信部１３０はネットワーク３００と通信を行い、家電通信部１４０は家電１０１と通信を行う。
【００２６】
学習型リモコン１００は、ユーザの操作による入力部（図示しない）からの入力によって、家電通信部１４０を通じて制御部１１０が家電１０１に対して操作信号の問い合わせを送信し、家電１０１からの返信を家電通信部１４０が受信すると、制御部１１０は、受信した情報から家電１０１を特定する情報と、家電１０１を操作する信号とを抽出し、記憶部１２０で記憶する。
【００２７】
学習型リモコン１００の記憶部１２０には、学習の結果、家電１０１を操作するための信号が、図３のリモコン信号テーブル１２１のように記憶されている。リモコン信号テーブル１２１には、家電ＩＤと家電種別と電源をオンにする操作信号（電源オン操作信号）が組になって記憶されており、この例では、家電１０１について家電ＩＤが“０１”、家電種別が“テレビ“、電源オン操作信号が“１１”と記憶されている。
【００２８】
また別の家電１０１については、家電ＩＤが“０２”、家電種別が“照明“、電源オン操作信号が“１０”と記憶されている。
【００２９】
また学習型リモコン１００は、制御部１１０により、ネットワーク通信部１３０を通じて、制御サーバ２００に対して、自身のリモコンＩＤと、記憶部１２０に記憶しているリモコン信号テーブル１２１とを送信する。
【００３０】
制御サーバ２００はコンピュータ装置であって、ＣＰＵ（Ｃｅｎｔｒａｌ  Ｐｒｏｃｅｓｓｉｎｇ  Ｕｎｉｔ）やメモリ等周知のコンピュータ装置のハードウェアから構成されていてもよく、例えばプログラムを実行することにより所望の動作を行ったり、必要なデータを記憶したりすることができる。また制御サーバ２００はネットワーク３００に接続されて通信を行う。
【００３１】
図４は制御サーバ２００の特徴的な機能を示すブロック図である。制御部２１０は制御サーバ２００の動作に関わる様々な判断・制御を行う。記憶部２２０は、リモコンテーブル２２１とシナリオ２２２とを記憶している（詳細は後述する）。ネットワーク通信部２３０は、ネットワーク３００と通信を行う。地域情報受信部２４０は、情報サーバ４００から地域情報を受信する。
【００３２】
制御サーバ２００は、事前準備として、学習型リモコン１００から、ネットワーク通信部２３０を通じて、学習型リモコン１００のリモコンＩＤと、リモコン信号テーブル１２１と、ユーザ宅の所在地、即ち学習型リモコン１００の所在地を受信し、制御部は学習型リモコンごとのテーブルを作成し、リモコンテーブル２２１として記憶部２２０で記憶する。
【００３３】
図５ａはリモコンテーブル２２１の例である。リモコンＩＤと家電ＩＤと家電種別と電源オン操作信号と所在地が１組となって記憶されている。
【００３４】
この例では、学習型リモコン１００のリモコンＩＤを、学習型リモコンのＩＰアドレスを用いることにして、例えば“１２３．１２３．１２３．１”としている。ここで学習型リモコン１００のリモコンＩＤは、その他にもＭＡＣ（Ｍｅｄｉａ  Ａｃｃｅｓｓ  Ｃｏｎｔｒｏｌ）アドレス等でもよい。
【００３５】
学習型リモコン１００の所在地は、その学習型リモコン１００が存在する地域を表す情報で、ここでは緯度・経度を用いることとするが、住居表示や地域を表す名称等でもよい。学習型リモコン１００の所在地は、ユーザにより入力されることでもよいし、学習型リモコン１００にＧＰＳ（Ｇｌｏｂａｌ  Ｐｏｓｉｔｉｏｎｉｎｇ  Ｓｙｓｔｅｍ）等が備わっていて制御サーバ２００にリモコンテーブル２２１を送信する時に取得すること等でもよい。
【００３６】
これらにより、リモコンテーブル２２１は、リモコンＩＤ“１２３．１２３．１２３．１”、家電ＩＤ“０１”の家電種別が“テレビ”、電源オン操作信号が“１１”で、その所在地が“Ｘ．Ｙ”と記憶されている。
【００３７】
また、同じ学習型リモコン１００で操作する別の家電については、リモコンテーブル２２１に、リモコンＩＤ“１２３．１２３．１２３．１”、家電ＩＤ“０２”の家電種別が“照明”、電源オン操作信号が“１０”で、その所在地が“Ｘ．Ｙ”と記憶されている。
【００３８】
また制御サーバ２００は、事前準備として、シナリオ２２２を用意し、記憶部２２０で記憶する。シナリオとは、どのような地域情報が配信された時にどのように家電を動作させるかを記載したテーブルであり、準備の段階で管理者により制御サーバ２００の入力機能（図示しない）の操作によって制御サーバ２００に入力される。ここで管理者とは、制御サーバ２００の管理者、制御サーバ２００が扱う地域の防災担当者など、適宜その作業を行える人物を指すものとする。
【００３９】
シナリオ２２２は、例えば図５ｂのようなものである。
【００４０】
シナリオ２２２は、通知された地域の災害情報と条件と家電の動作が組として記憶されている。ここでは災害情報は地震の震度、条件としては時刻を例として採用しているが、適宜その他の基準を用いてもよいし、その他の付加情報を持たせて判断に用いてもよい。
【００４１】
図５ｂのシナリオ２２２では、震度が“３”の時で時刻が“０６：００−１８：００”であった場合、動作として“テレビ：電源オン（チャンネル１）”をする、と記載されており、また震度が“３”で時刻が“１８：００−０６：００”であった場合、動作として“テレビ：電源オン（チャンネル１）と、照明：電源オン”をする、と記載されている。
【００４２】
地域情報受信部２４０は、情報サーバ４００から地域情報を受信する。受信した地域情報は、制御部２１０により処理されて、例えば地震の震度と該当する地域が抽出され、シナリオ２２２の選択基準となる。
【００４３】
情報サーバ４００はコンピュータ装置であって、ＣＰＵやメモリ等周知のコンピュータ装置のハードウェアから構成されていてもよく、例えばプログラムを実行することにより所望の動作を行ったり、必要なデータを記憶したりすることができる。また情報サーバ４００は制御サーバ２００と通信を行う。情報サーバ４００と制御サーバ２００との通信はネットワーク３００を介して行われてもよく、ネットワーク３００とは違う通信ネットワークを介して行われてもよい。
【００４４】
図６は、情報サーバ４００の特徴的な構成を示した図である。制御部４１０は情報サーバ４００の動作に関わる各種の制御や判断を行う。記憶部４２０は情報サーバ４００の動作に関わる各種情報を記憶する。地域情報発信部４３０は、情報サーバ２００に対して地域情報を発信する。
【００４５】
ここで地域情報とは、例えば緊急地震速報や防災情報、国や自治体が発信する情報（例えば全国瞬時警報システムＪ−ＡＬＥＲＴ）等が該当する。ここでは地域情報は情報サーバ４００が外部から受信するものとするが、情報サーバ４００が、自ら震度計等備えており、地域情報を検知・生成してもよい。
【００４６】
また、本実施の形態では、地域情報には少なくとも地震の震度と該当する地域が含まれているものとする。一例を図５ｃに示す。この図５ｃの地域情報では、震度と地域が対になって記憶されており、震度が“３”の地域が“東経：Ｘ１〜Ｘ２、北緯：Ｙ１〜Ｙ２”となっていることを示している。（Ｘ１，Ｘ２，Ｙ１，Ｙ２は経度緯度を表す数字とする。）
このような構成による本発明の動作例を、図７のシステムチャートを用いて説明する。
まず事前準備として、学習型リモコン１００が、家電１０１を操作する信号を学習しておく。これは例えば、学習型リモコン１００の制御部１１０が、家電通信部１４０を通じて（Ｓ０１）、家電１０１に学習用のリクエストを送信し（Ｓ０２）、家電１０１が学習型リモコン１００に家電１０１を操作する信号を返信し(Ｓ０３)、学習型リモコン１００の家電通信部１４０が信号を受信し（Ｓ０４）、制御部１１０で所定の動作を行うためのリモコン信号テーブル１２１を作成して、記憶部１２０がリモコン信号テーブル１２１を記憶する（Ｓ０５）。
【００４７】
続いて制御部１１０は、ネットワーク通信部１３０を通じて（Ｓ０６）制御サーバ２００に対して、リモコン信号テーブル１２１と、自身のリモコンＩＤと、リモコンの所在地とを送信する（Ｓ０７）。リモコンの所在地は、ユーザからの入力により取得してもよいし、学習型リモコン１００に備わるＧＰＳなどの機能から取得してもよい。
【００４８】
制御サーバ２００は、ネットワーク通信部２３０が学習型リモコン１００からの情報を受信すると、制御部２１０がリモコンテーブル２２１を生成し（Ｓ０８）、記憶部２２０に記憶させる（Ｓ０９）。
【００４９】
また、制御サーバ２００は、ユーザからの操作により（図示しない）、制御部２１０がシナリオ２２２の入力を受け、記憶部２２０に記憶させる（Ｓ１０）。
【００５０】
家電を制御すべき、対象となる事象、例えば地震が発生すると、情報サーバ４００の地域情報発信部４３０から地域情報が発信される（Ｓ２０）。地域情報には、各地点の震度等が含まれている。この地域情報は、制御サーバ２００の地域情報受信部２４０が受信する。
【００５１】
制御サーバ２００の制御部２１０は、地域情報を解析して（Ｓ２１）、記憶部２２０で記憶しているリモコンテーブル２２１やシナリオ２２２を参照しながら（Ｓ２２）、対象となる地域を特定し、その地域に該当する学習型リモコン１００を抽出し、また該当するシナリオを特定する（Ｓ２３）。
【００５２】
この例では、地域情報によると震度が“３”で地域が“東経：Ｘ１〜Ｘ２、北緯：Ｙ１〜Ｙ２”である。制御部２１０は、リモコンテーブル２２１の所在地の欄を確認して、該当するリモコンがあるかどうか判断する。リモコンテーブルに記憶されている所在地“Ｘ．Ｙ”は“東経：Ｘ１〜Ｘ２、北緯：Ｙ１〜Ｙ２”の地域内にあるとする。するとリモコンＩＤが“１２３．１２３．１２３．１”のリモコンが該当する。
【００５３】
また、シナリオ２２２を参照すると、震度が“３”の場合の記載がある。ここで地域情報の発生時刻を０７：００（午前７時）とすると、一行目のシナリオが該当すると決定する。このシナリオでは“テレビ：電源オン（チャンネル１）”の動作を行うことになるので、リモコンテーブル２２１を参照して、家電種別が“テレビ”であるエントリが対象となる。
【００５４】
そして、ネットワーク通信部２３０から（Ｓ２４）学習型リモコン１００にシナリオに沿った指示を送信する（Ｓ２５）。つまりここでは、リモコンＩＤ“１２３．１２３．１２３．１”に対して、家電ＩＤ“０１”の電源オン操作信号“１１”という制御信号を送信する。学習型リモコン１００のネットワーク通信部１３０が指示を受信し（Ｓ２５）、受信した指示を制御部１１０が（Ｓ２６）、家電通信部１４０から送信して（Ｓ２７）家電１０１を操作し、シナリオ通りの動作をさせる（Ｓ２８）。
【００５５】
（第１の実施の形態の効果）
この第１の実施の形態のように構成することにより、地震等の非常時にリモコンにより家電を操作することから、家庭でユーザが情報を得たりすることを助けることができ、更にそのシナリオを制御サーバ２００が持てばよいことから、各ユーザの設定の負担を軽くすることができる。
【００５６】
（第１の実施の形態の変形例）
リモコンテーブルでは各家電の操作信号を記憶し、制御サーバから操作信号を送信していたが、それに代えて家電の型番等を記憶しておき、別途家電の型番ごとの操作信号を記憶していてもよい。
【００５７】
このように構成することにより、同じ型番の家電が多数、対象として存在する場合には記憶するデータ量を削減することができる。
【００５８】
また、操作信号が長大である場合には、必要最低限の操作に短いコードを割り振ることにより、制御サーバと学習型リモコンの間の通信量を削減することができる。
【００５９】
本実施の形態では、シナリオは制御サーバ２００に対して１つ記憶されていたが、各学習型リモコンに対して１つ記憶されてもよい。この場合は、地域情報から対象となるリモコンを特定したのち、その学習型リモコンに対して記憶されているシナリオを参照しながら制御サーバ２００から学習型リモコン１００へ制御信号を送信する。このように構成することにより、各学習型リモコンが配置されている家庭により最適化した家電操作を行うことができる。
【００６０】
またリモコンテーブルやシナリオ等は適宜設計すればよく、学習型リモコンと制御サーバと情報サーバが保持する情報やそれぞれの間で送受信される情報も適宜設計することができるのは明らかである。
【００６１】
［第２の実施の形態］
この実施形態では、学習型リモコン１００´が、環境センサ１５０を備えているものとする。このような学習型リモコン１００´の構成を示す図が図８である。学習型リモコン１００と同様の機能には同じ番号を付しており、説明を適宜省略する。
【００６２】
ここで環境センサは照度センサとし、リモコンが置かれている場所の明るさを検知する。環境センサは、あるいは温度センサ、湿度センサ等でもよい。
【００６３】
この実施の形態でのシナリオ２２２´は例えば図９のようになる。このシナリオ２２２´の例では、“震度３”で“照度が１００ルクス未満”の時の動作として、“照明：点灯、テレビ：スイッチオン（チャンネル１）”と記載されている。
【００６４】
このような実施形態での動作は図１０のようになる。第１の実施形態と共通の箇所は詳細な説明を適宜省略する。
【００６５】
この実施の形態では、Ｓ２５で制御サーバ２００から学習型リモコン１００´に操作信号が送信される時に、シナリオ２２２´に記載されていた条件“照度が１００ルクス未満”が含まれて送信される。
【００６６】
すると、制御部１１０が操作信号を受信した時に（Ｓ２６）、環境センサ１５０に周辺の照度を問い合わせる（Ｓ３０）。環境センサ１５０からの回答（Ｓ３１）に応じて、“照度が１００ルクス未満”であれば家電を“照明：点灯、テレビ：スイッチオン（チャンネル１）”と操作する。
【００６７】
（第２の実施の形態の効果）
このように構成することにより、第１の実施例に比べてより各家庭の状況に合わせたシナリオを実行することができる。その理由は、制御サーバの側で一律的に動作を規定するのではなく、学習型リモコン側で現場の環境を測定した上で動作をするからである。
【００６８】
（第２の実施の形態の変形例）
この実施の形態では、制御信号を受信した学習型リモコン１００が、環境センサ１５０に周辺の環境を問い合わせてその結果により家電を操作していたが、環境センサ１５０が検知した周囲の環境情報を制御サーバ２００に所定のタイミングで送信し、制御サーバ２００は周囲の環境情報も含めて採用するシナリオを特定して、制御信号を学習型リモコン１００に送信することとしてもよい。このように構成することにより、制御サーバ２００から学習型リモコン１００への送信信号のデータ量を削減することが可能であり、また家電を操作する際の学習型リモコン１００の処理量を抑えることが可能であり、災害等の緊急時の動作を迅速化することができる。
【００６９】
第１および第２の実施の形態で示した説明は一例であり、その他、本発明の主旨を逸脱しない範囲で適宜変形したり適用したりすることができることは言うまでもない。
【符号の説明】
【００７０】
１００、１００´    学習型リモコン
１１０    制御部
１２０    記憶部
１２１    リモコン信号テーブル
１３０    ネットワーク通信部
１４０    家電通信部
１５０    環境センサ
１０１    家電
２００    制御サーバ
２１０    制御部
２２０    記憶部
２２１    リモコンテーブル
２２２、２２２´    シナリオ
２３０    ネットワーク通信部
２４０    地域情報受信部
３００    ネットワーク
４００    情報サーバ
４１０    制御部
４２０    記憶部
４３０    地域情報発信部
【図１】
2014204211.tif 000003
【図２】
2014204211.tif 000004
【図３】
2014204211.tif 000005
【図４】
2014204211.tif 000006
【図５ａ】
2014204211.tif 000007
【図５ｂ】
2014204211.tif 000008
【図５ｃ】
2014204211.tif 000009
【図６】
2014204211.tif 000010
【図７】
2014204211.tif 000011
【図８】
2014204211.tif 000012
【図９】
2014204211.tif 000013
【図１０】
2014204211.tif 000014